(57)【要約】【課題】放送波に含まれるデータと、独自に生成しなければならないデータを、最大送出帯域を制限しながら、最低送出周期を管理して多重化し送出することができるＥＭＭメッセージ再多重装置を提供する。【解決手段】デジタル放送波を復調した放送波信号から信号を分離し、ＥＭＭ部分をＮＵＬＬ化し、ＥＭＭ個別メッセージを破棄し、ＥＭＭ個別メッセージ相当信号を生成し、ＥＭＭ共通メッセージおよびＥＭＭ個別メッセージの各パケットについて、当該パケットを配置することにより、最大送出帯域、最大送出頻度、最低送出周期を、初期設定ファイル１０９に設定された値の通り守れるかをチェックし、それらチェック要件をすべて満たすパケットを、前記ＥＭＭ部分をＮＵＬＬ化したパケットの位置へ配置して再多重データを構築するＥＭＭ共通優先制御再多重部１１２を具備する。【選択図】図１
2011041188.tif 000002
【特許請求の範囲】
【請求項１】
デジタル放送波を復調した放送波信号からＥＭＭ共通メッセージ、ＥＭＭ個別メッセージおよびＥＭＭメッセージ以外の信号を分離し、ＥＭＭ個別メッセージを破棄するＥＭＭメッセージ分離手段と、
初期設定ファイルに予め設定されたＥＭＭ共通メッセージ編集内容に応じて、前記ＥＭＭメッセージ分離手段から渡されたＥＭＭ共通メッセージに対するデータ置換処理、およびＥＭＭメッセージ以外の信号の、前記ＥＭＭ共通メッセージ、ＥＭＭ個別メッセージが含まれていた部分をＮＵＬＬ化する処理を行って、該編集後のＥＭＭ共通メッセージおよびＥＭＭ部分をＮＵＬＬ化したＥＭＭメッセージ以外の信号をＥＭＭ共通優先制御再多重手段に渡すＥＭＭ共通メッセージ編集手段と、
データベースに格納されたＥＭＭ個別メッセージ相当信号の元となるデータに基づいてＥＭＭ個別メッセージ相当信号を生成してＥＭＭ共通優先制御再多重手段に渡すＥＭＭ個別メッセージ相当信号生成手段と、
前記ＥＭＭ共通メッセージ編集手段から渡された、ＥＭＭ部分をＮＵＬＬ化したＥＭＭメッセージ以外の信号を格納するＥＭＭメッセージ以外の信号の受信バッファと、編集後のＥＭＭ共通メッセージを格納するＥＭＭ共通メッセージ受信バッファと、前記ＥＭＭ個別メッセージ相当信号生成手段から渡されたＥＭＭ個別メッセージ相当信号を格納するＥＭＭ個別メッセージ受信バッファと、再多重データを構築するための再多重用バッファとを備え、
前記ＥＭＭメッセージ以外の信号の受信バッファ内の、ＥＭＭ部分をＮＵＬＬ化したＥＭＭメッセージ以外の信号を前記再多重用バッファに配置した後、
前記ＥＭＭ共通メッセージ受信バッファおよびＥＭＭ個別メッセージ受信バッファ内の信号の各パケットについて、
当該パケットを配置することにより、前記初期設定ファイルに設定された最大送出量を越えないか、および最大送出帯域を越えて送出することにならないかを判定する第１のチェックと、ＥＭＭ共通メッセージの最大送出頻度を上回って送出することにならないかを判定する第２のチェックと、同一受信装置へのＥＭＭ個別メッセージ送信最小間隔を下回って送出することにならないかを判定する第３のチェックとを実行し、
前記第１〜第３のチェック要件をすべて満たすパケットを、前記再多重バッファ内のＥＭＭ部分をＮＵＬＬ化したパケットの位置へ配置して再多重データを構築するＥＭＭ共通優先制御再多重手段と、
を具備したことを特徴とするデジタル放送のＩＰ再送信時の自動表示メッセージ実現におけるＥＭＭメッセージ再多重装置。
【請求項２】
前記データベースにはＥＭＭ個別メッセージ相当信号の即時送信要求信号が格納され、
前記ＥＭＭ共通優先制御再多重手段は即時送信用のＥＭＭ個別メッセージ受信バッファをさらに備え、
前記ＥＭＭ個別メッセージ相当信号生成手段は、前記ＥＭＭ個別メッセージ相当信号の即時送信要求信号に基づいてＥＭＭ個別メッセージ相当信号を生成し、該信号を前記ＥＭＭ共通優先制御再多重手段の即時送信用のＥＭＭ個別メッセージ受信バッファに渡し、
前記ＥＭＭ共通優先制御再多重手段は、前記即時送信用のＥＭＭ個別メッセージ受信バッファに信号が有る場合は、当該信号のパケットを前記ＥＭＭ個別メッセージ受信バッファ内の信号のパケットよりも優先して前記第１〜第３のチェックを実行することを特徴とする請求項１に記載のデジタル放送のＩＰ再送信時の自動表示メッセージ実現におけるＥＭＭメッセージ再多重装置。
【請求項３】
ＥＭＭメッセージ分離手段が、デジタル放送波を復調した放送波信号からＥＭＭ共通メッセージ、ＥＭＭ個別メッセージおよびＥＭＭメッセージ以外の信号を分離し、ＥＭＭ個別メッセージを破棄するＥＭＭメッセージ分離ステップと、
ＥＭＭ共通メッセージ編集手段が、初期設定ファイルに予め設定されたＥＭＭ共通メッセージ編集内容に応じて、前記ＥＭＭメッセージ分離手段から渡されたＥＭＭ共通メッセージに対するデータ置換処理、およびＥＭＭメッセージ以外の信号の、前記ＥＭＭ共通メッセージ、ＥＭＭ個別メッセージが含まれていた部分をＮＵＬＬ化する処理を行って、該編集後のＥＭＭ共通メッセージおよびＥＭＭ部分をＮＵＬＬ化したＥＭＭメッセージ以外の信号をＥＭＭ共通優先制御再多重手段に渡すＥＭＭ共通メッセージ編集ステップと、
ＥＭＭ個別メッセージ相当信号生成手段が、データベースに格納されたＥＭＭ個別メッセージ相当信号の元となるデータに基づいてＥＭＭ個別メッセージ相当信号を生成してＥＭＭ共通優先制御再多重手段に渡すＥＭＭ個別メッセージ相当信号生成ステップと、
前記ＥＭＭ共通メッセージ編集手段から渡された、ＥＭＭ部分をＮＵＬＬ化したＥＭＭメッセージ以外の信号を格納するＥＭＭメッセージ以外の信号の受信バッファと、編集後のＥＭＭ共通メッセージを格納するＥＭＭ共通メッセージ受信バッファと、前記ＥＭＭ個別メッセージ相当信号生成手段から渡されたＥＭＭ個別メッセージ相当信号を格納するＥＭＭ個別メッセージ受信バッファと、再多重データを構築するための再多重用バッファとを備えたＥＭＭ共通優先制御再多重手段が、
前記ＥＭＭメッセージ以外の信号の受信バッファ内の、ＥＭＭ部分をＮＵＬＬ化したＥＭＭメッセージ以外の信号を前記再多重用バッファに配置するステップと、
前記ＥＭＭ共通メッセージ受信バッファおよびＥＭＭ個別メッセージ受信バッファ内の信号の各パケットについて実行するチェックステップであって、
当該パケットを配置することにより、前記初期設定ファイルに設定された最大送出量を越えないか、および最大送出帯域を越えて送出することにならないかを判定する第１のチェックステップと、
当該パケットを配置することにより、前記初期設定ファイルに設定されたＥＭＭ共通メッセージの最大送出頻度を上回って送出することにならないかを判定する第２のチェックステップと、
当該パケットを配置することにより、前記初期設定ファイルに設定された、同一受信装置へのＥＭＭ個別メッセージ送信最小間隔を下回って送出することにならないかを判定する第３のチェックステップと、
前記第１〜第３のチェック要件をすべて満たすパケットを、前記再多重バッファ内のＥＭＭ部分をＮＵＬＬ化したパケットの位置へ配置して再多重データを構築するステップと、
を具備したことを特徴とするデジタル放送のＩＰ再送信時の自動表示メッセージ実現におけるＥＭＭメッセージ再多重方法。
【請求項４】
前記データベースにはＥＭＭ個別メッセージ相当信号の即時送信要求信号が格納され、
前記ＥＭＭ共通優先制御再多重手段は即時送信用のＥＭＭ個別メッセージ受信バッファをさらに備え、
前記ＥＭＭ個別メッセージ相当信号生成ステップは、前記ＥＭＭ個別メッセージ相当信号の即時送信要求信号に基づいてＥＭＭ個別メッセージ相当信号を生成し、該信号を前記ＥＭＭ共通優先制御再多重手段の即時送信用のＥＭＭ個別メッセージ受信バッファに渡し、
前記ＥＭＭ共通優先制御再多重手段は、前記即時送信用のＥＭＭ個別メッセージ受信バッファに信号が有る場合は、当該信号のパケットを前記ＥＭＭ個別メッセージ受信バッファ内の信号のパケットよりも優先して前記第１〜第３のチェックステップを実行することを特徴とする請求項３に記載のデジタル放送のＩＰ再送信時の自動表示メッセージ実現におけるＥＭＭメッセージ再多重方法。
【請求項５】
コンピュータを請求項１又は２に記載の各手段として機能させるデジタル放送のＩＰ再送信時の自動表示メッセージ実現におけるＥＭＭメッセージ再多重プログラム。
【発明の詳細な説明】
【技術分野】
【０００１】
本発明は、有料放送を実施しているデジタル放送で自動表示メッセージとして提供されている、視聴者に対する有料放送の契約の誘致を行うことのできる仕組みを、ＩＰ（Ｉｎｔｅｒｎｅｔ  Ｐｒｏｔｏｃｏｌ）ネットワークを利用した再送信（以下、ＩＰ再送信と記載）においても実施する場合に、一般的な受信装置が利用できる形での信号を送出できるようにする装置、方法に関するものである。
【背景技術】
【０００２】
デジタル放送では、有料放送の限定受信方式として、図１に示すように、自動表示メッセージと呼ばれる仕組みが運用されている。これは、未契約者が有料放送を視聴した際に、画面上にスーパーインポーズの形で契約を促すメッセージを視聴者に対して表示することができる仕組みである。
【０００３】
放送波の自動表示メッセージの仕組みについて述べる。  
【０００４】
自動表示メッセージは、図２に示すように、放送波に含まれるＭＰＥＧ２−トランスポートストリーム（以下、ＴＳと表記する。）の中に含まれる信号であるＥＭＭメッセージを利用して実現されている。図２はＭＰＥＧ２−ＴＳの全体構成を示している。
【０００５】
ＥＭＭメッセージには、ＥＭＭ共通メッセージとＥＭＭ個別メッセージが含まれる。自動表示メッセージは、この二つを組み合わせて実現されている。
放送局に設置された送出装置は、ＥＭＭ共通メッセージに、視聴者が利用している受信装置が出力する画面に表示させたいメッセージの内容と、このメッセージに対応させた定型文番号の組みを、複数記載して送出する。
【０００６】
また、送出装置は、ＥＭＭ個別メッセージに、受信装置ごとに異なる受信装置の識別子と、表示させたいメッセージの定型文番号、さらに、定型文との差分メッセージを組みにして送出する。これらＥＭＭメッセージは映像や音声の信号と共に多重化され、ＴＳとして放送局に設置された送出装置から送出される。
【０００７】
これら信号を受信した受信装置は、ＴＳからＥＭＭメッセージを取り出し、ＥＭＭ個別メッセージが自分宛であるかどうかをＥＭＭ個別メッセージ内に記載された受信装置の識別子を利用して読み取る。さらに受信装置は、ＥＭＭ個別メッセージが自分宛であった場合には、ＥＭＭ個別メッセージに記載された定型文番号と差分メッセージを取り出し、ＥＭＭ共通メッセージ内に記載された定型文番号とメッセージ内容から、表示させるべきメッセージを読み取り、出力する画面にメッセージを表示させる仕組みである（非特許文献１）。
【０００８】
従来のＩＰ再送信においては、ＥＭＭメッセージを編集・生成し、再び映像・音声のＴＳと多重化させる機能を持たなかったため、視聴者の契約状況に応じて自動表示メッセージの表示内容を制御させることができなかった。
【０００９】
尚、従来の地上デジタル放送ＩＰ再送信システムは例えば図１３のように構成されていた。図１３において、送出装置６００は、入力される放送波信号６０１を復調する復調部６０２と、限定受信方式変換部６０３と、ＩＰ化信号６０５を図示省略のネットワークを介して受信装置７００に送出するＩＰ化送信部６０４とを備えている。
【先行技術文献】
【非特許文献】
【００１０】
【非特許文献１】「ＢＳ／広帯域ＣＳデジタル放送運用規定」、ＡＲＩＢ  ＴＲ−Ｂ１５  ４．６版（第三分冊）、平成２０年１２月１２日、第五編  ＢＳデジタル放送限定受信方式（ＣＡＳ）受信機仕様および運用規定  ４．１３  自動表示メッセージ表示  ４．１３．１  基本動作  ｐｐ．５−１１〜５−１３
【発明の概要】
【発明が解決しようとする課題】
【００１１】
ＩＰ再送信における自動表示メッセージについて述べる。まずＩＰ再送信におけるＥＭＭ共通メッセージについて述べる。
【００１２】
ＩＰ再送信においては、画面に表示させるメッセージ内容を、放送波を視聴している視聴者に対するメッセージから、ＩＰ再送信を視聴している視聴者向けの内容に変更することが求められる（例えば、放送局の連絡先情報など）。このことと、定型文の内容がＥＭＭ共通メッセージに記載されていることから、ＩＰ再送信においては、ＥＭＭ共通メッセージを新たに生成するか、もしくは、放送波のＥＭＭ共通メッセージの一部を書き換えることが必要となる。この二つの方式を比較した場合、ＥＭＭ共通メッセージの中には定型文メッセージの内容が記載されており再利用するデータが多いため、ＩＰ再送信用に新規に生成するのではなく、放送波のデータを一部編集することが有効である。
【００１３】
次にＩＰ再送信におけるＥＭＭ個別メッセージについて述べる。ＩＰ再送信においては、ＥＭＭ個別メッセージの生成・送出に関して、二つの方式が考えられる。デジタル放送の放送波を編集して利用する方式と、独自に信号を生成して送出する方式である。この二つの方式を比較した場合、ＥＭＭ個別メッセージは、受信装置の識別子と定型文番号の組みが記載されている程度であり、情報量が少なく、再利用できる部分が少ないことと、デジタル放送の放送波では、ＥＭＭ個別メッセージは放送波で採用されている限定受信方式（Ｂ−ＣＡＳ）により符号化されているため、デジタル放送の放送波に含まれるＥＭＭ個別メッセージを編集する方式を採用する場合にはこの符号化を一度解除し、限定受信方式をＩＰ再送信用のものに変更する必要があることから、ＥＭＭ個別メッセージは独自に生成して、受信装置に対して送出することが有効である。
【００１４】
次に、送出装置がＥＭＭメッセージの送出時に守らなければならない事項について述べる。
【００１５】
一つ目は、最大送出帯域と最低送出周期と呼ばれる事項である。一般的に、受信装置が単位時間当たりに処理できる信号量には受信装置の演算速度や記憶域の容量に応じて制限がある。そのため、ＥＭＭメッセージの送出時には、単位時間当たりの送出量を制限すること（最大送出帯域を守ること）や、同じ情報を短い期間に大量に送出しないこと（最大送出頻度・最低送出周期を守ること）が必要となる。
【００１６】
二つ目は、各ＥＭＭメッセージの再多重位置に関する事項である。ＩＰ再送信では、元となるデジタル放送の放送波との同一性を、できる限り保持する必要がある。
【００１７】
放送波上には映像や音声等のＥＭＭ共通メッセージ・ＥＭＭ個別メッセージ以外の信号も含まれている。これらすべての信号の配置関係は原則的に元の位置としたまま、この列の中にＥＭＭ共通メッセージや独自に生成したＥＭＭ個別メッセージ相当信号を多重化しなければならない。この際、ＥＭＭ共通メッセージ・ＥＭＭ個別メッセージはセクションの形式で送出される。セクションの容量が一つのパケットに収まりきらない場合は、セクションは複数のパケットに分割して送出される。この際、放送波の規定では、セクションの送出が全て完了するまで、同一ＰＩＤ（Ｐａｃｋｅｔ  Ｉｄｅｎｔｉｆｉｃａｔｉｏｎ、パケット種別を特定するための識別子）を利用して次のセクションを送ってはならないと決められている。この理由は、受信装置がＰＩＤを利用して情報を区分しているからである。また、ＥＭＭ共通メッセージとＥＭＭ個別メッセージは、ＥＭＭという同じテーブルとして扱われ、同一のＰＩＤにて伝送される。
【００１８】
これらのことから、受信装置がＥＭＭ共通メッセージをＥＭＭ共通メッセージとして読み取れるよう、ＥＭＭ共通メッセージのセクションが全て送出し終わるまでは、ＥＭＭ個別メッセージのセクションを構成するパケットを送出してはならない。したがって、多重化する際に、ＥＭＭ共通メッセージとＥＭＭ個別メッセージのセクションは互いに混合された状態で配置されないように管理しつつ配置されなければならない。
【００１９】
本発明は上記課題を解決するものであり、その目的は、放送波に含まれるデータと、独自に生成しなければならないデータを、最大送出帯域を制限しながら、最低送出周期を管理し、さらに、互いのセクションが混合しないように多重化しつつ送出することができるＥＭＭメッセージ再多重装置、方法、プログラムを提供することにある。
【課題を解決するための手段】
【００２０】
本発明は、映像、音声、字幕、データ放送、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成されるデジタル放送をＩＰ再送信する場合において、図２に示すＴＳに含まれるＥＭＭ（Ｅｎｔｉｔｌｅｍｅｎｔ  Ｍａｎａｇｅｍｅｎｔ  Ｍｅｓｓａｇｅ）を用いる。
【００２１】
本発明では、放送波にＥＭＭメッセージが含まれていた場合、放送波からＥＭＭメッセージだけを取り出し、メッセージの表示内容をＩＰ再送信用に置換する必要がある場合には、ＥＭＭ共通メッセージに対して初期設定ファイルに指定された定型文番号とこの定型文番号に対応する定型文（メッセージ内容）を初期設定ファイルに記載されたとおりに置換する。また、ＥＭＭ個別メッセージを破棄し、ＥＭＭ個別メッセージ相当信号を生成する。また、編集したＥＭＭ共通メッセージとＥＭＭ個別メッセージ相当信号、分離したＥＭＭメッセージ以外の信号を、再度ＴＳに多重化する。
【００２２】
この際、配置候補のＥＭＭメッセージを構成するパケットを１パケットずつ取り出すたびに、配置後のＥＭＭメッセージの総量を単位時間で割る演算を行って、その結果を予め初期設定ファイルで設定した最大送出量と比較し、この演算結果が設定値を下回っていることを確認することで、配置候補のパケットを配置した場合にも予め初期設定ファイルにて決められた最大送出帯域を守れるかどうかを確認し、予め決められた最大送出帯域を守りながら、多重化する。
【００２３】
また、この際、配置対象が編集後のＥＭＭ共通メッセージである場合は、配置後のＥＭＭ共通メッセージの送出頻度が初期設定ファイルにて設定された最大送出頻度を上回っていないかを、次の処理にて確認する。すなわち、単位時間分遡って過去に送出したＥＭＭ共通メッセージの個数をカウントし、今回配置した場合の個数である１を足したものを算出する。算出した結果を単位時間で割り、単位時間当たりの送出回数を頻度として求める。この頻度が予め初期設定ファイルに設定した値を下回っていることを確認することで、予め決められた最大送出頻度を守りながら多重化する。
【００２４】
また、配置対象がＥＭＭ個別メッセージ相当信号である場合には、配置後のＥＭＭ個別メッセージの送出周期が初期設定ファイルにて設定された最低送出周期を上回っていることを確認する。すなわち、過去に送出したＥＭＭ個別メッセージ相当信号のうち、今回配置しようとしているＥＭＭ個別メッセージ相当信号の中に記載された、受信装置の識別子とメッセージ内容の組みが同じ値であるものがあった場合、配置後のＥＭＭ個別メッセージ相当信号の送出までの間隔をカウントし、初期設定ファイルに設定された最低送出周期を上回っていることを確認することで、予め決められた最低送出周期を守りながら多重化する。
【００２５】
また、この際、配置途中のセクションがある場合には、そのセクション全体を送出し終わるまで次の候補を配置対象の候補に含めないことで、ＥＭＭメッセージが含まれるセクション同士が互いに混ざって配置されないように多重化する。配置途中のセクションが無い場合には、次のＥＭＭメッセージを配置候補とする。ＥＭＭ共通メッセージとＥＭＭ個別メッセージが両方とも配置候補である場合には、ＥＭＭ共通メッセージはすべての受信装置が必要とする情報であることから、ＥＭＭ共通メッセージを優先して配置する。
【００２６】
なお、請求項２、４に記載の発明を実施する際には、ＥＭＭ個別メッセージを送出中に、即時送信用のＥＭＭ個別メッセージがＥＭＭ共通優先制御再多重部に渡された場合、ＥＭＭ個別メッセージのセクションを配置している途中であっても、即時送信用のＥＭＭ個別メッセージを先に配置候補とすることで、先に送出が可能となる。即時送信用のＥＭＭ個別メッセージを配置した場合、配置した分だけ配置途中であったＥＭＭ個別メッセージの残りのパケットがずれていくこととする。
【００２７】
また、即時配信用のＥＭＭ個別メッセージが配置候補となった場合でも、即時送信用でないＥＭＭ個別メッセージの配置の時と同様に、前述した全てのチェックを行い、これにより、即時送信用のＥＭＭ個別メッセージが挿入された場合でも最大送出帯域、最低送出周期を守ることができる。
【００２８】
これらの信号を配置した後の多重化された信号を、デジタル放送／ＩＰネットワークを通じて受信装置へ送出するものである。
【００２９】
尚、前記放送波からＥＭＭメッセージだけを取り出し、メッセージの表示内容をＩＰ再送信用に置換する必要がある場合とは、放送波の自動表示メッセージに記載されているのが放送局の連絡先であった場合に、ＩＰ再送信時の連絡先を別の連絡先としたい場合など、放送波とＩＰ再送信で異なった自動表示メッセージを表示させたい場合を指す。放送事業者もしくは再送信事業者が、視聴者からの連絡時に、当該視聴者が放送波サービスの視聴者であるのか、ＩＰ再送信の視聴者であるのかを区別したい時などに利用される。
【発明の効果】
【００３０】
（１）請求項１〜５に記載の発明によれば、デジタル放送における有料放送をＩＰ再送信する場合にも、視聴者が自動表示メッセージの視聴を行えることを可能とする。また、本発明を用いる事によって、送出装置は、放送波に含まれるデータと、独自に生成しなければならないデータを、最大送出帯域を制限しながら、最大送出頻度、最低送出周期を管理しつつ、さらに、互いのセクションが混合しないように多重化して、送出することができ、受信装置が処理できる形の信号として送出することができる様になる。
（２）請求項２、４に記載の発明によれば、放送局または再送信サービスの提供事業者が望む場合に、生成したＥＭＭ個別メッセージを即時送信することが可能となる。
【図面の簡単な説明】
【００３１】
【図１】デジタル放送における自動表示メッセージの表示の様子を示す説明図。
【図２】ＴＳ全体の構成と本発明で利用するＥＭＭ（Ｅｎｔｉｔｌｅｍｅｎｔ  Ｍａｎａｇｅｍｅｎｔ  Ｍｅｓｓａｇｅ）の構成図。
【図３】本発明の一実施形態例を示すシステム構成図。
【図４】本発明の一実施形態例における機能ブロック図。
【図５】本発明の一実施形態例におけるＥＭＭ共通優先制御再多重部の機能ブロック図。
【図６】本発明の一実施形態例におけるＥＭＭ共通優先制御再多重部の処理を示すフローチャート。
【図７】図６におけるＥＭＭメッセージ全体の送出に関するチェック処理のフローチャート。
【図８】図６における編集後のＥＭＭ共通メッセージの送出に関するチェック処理のフローチャート。
【図９】図６におけるＥＭＭ個別メッセージ相当信号の送出に関するチェック処理のフローチャート。
【図１０】図６のＥＭＭ共通優先制御再多重部での処理イメージを示す説明図。
【図１１】本発明を用いたシステム構成例１を示す構成図。
【図１２】本発明を用いたシステム構成例２を示す構成図。
【図１３】従来のデジタル放送ＩＰ再送信システムの一例を示す構成図。
【発明を実施するための形態】
【００３２】
以下、図面を参照しながら本発明の実施の形態を説明するが、本発明は下記の実施形態例に限定されるものではない。図３は本発明を適用したＢＳデジタル放送ＩＰ再送信システム（有料放送の送信システム）の全体構成を示している。
【００３３】
図３において、送出装置１００は、入力される放送波信号１０１を復調する復調部１０２と、本発明のＥＭＭメッセージ再多重装置１０００と、前記ＥＭＭメッセージ再多重装置１０００により多重化された信号をＩＰ再送信で利用される限定受信方式で符号化する限定受信方式変換部１１８と、ＩＰ化信号１２０を図示省略のネットワークを介して受信装置２００に送出するＩＰ化送信部１１９とを備えている。
【００３４】
ＥＭＭメッセージ再多重装置１０００内の１０４は、復調部１０２により復調化された放送波信号からＥＭＭ共通メッセージ、ＥＭＭ個別メッセージおよびＥＭＭメッセージ以外の信号を分離し、ＥＭＭ個別メッセージを破棄するＥＭＭメッセージ分離手段としてのＥＭＭメッセージ分離部である。
【００３５】
１０８は、初期設定ファイル１０９に予め設定されたＥＭＭ共通メッセージ編集内容に応じて、前記ＥＭＭメッセージ分離１０４から渡されたＥＭＭ共通メッセージに対するデータ置換処理、およびＥＭＭメッセージ以外の信号の、前記ＥＭＭ共通メッセージ、ＥＭＭ個別メッセージが含まれていた部分をＮＵＬＬ化する処理を行って、該編集後のＥＭＭ共通メッセージおよびＥＭＭ部分をＮＵＬＬ化したＥＭＭメッセージ以外の信号をＥＭＭ共通優先制御再多重部１１２に渡すＥＭＭ共通メッセージ編集手段としてのＥＭＭ共通メッセージ編集部である。
【００３６】
１１５は、データベース１１３に格納されたＥＭＭ個別メッセージ相当信号の元となるデータに基づいてＥＭＭ個別メッセージ相当信号を生成してＥＭＭ共通優先制御再多重部１１２に渡すＥＭＭ個別メッセージ相当信号生成手段としてのＥＭＭ個別メッセージ相当信号生成部である。
【００３７】
１１２は、前記ＥＭＭ共通メッセージ編集部１０８から渡された編集後のＥＭＭ共通メッセージおよびＥＭＭ部分をＮＵＬＬ化したＥＭＭメッセージ以外の信号と、前記ＥＭＭ個別メッセージ相当信号生成部１１５から渡されたＥＭＭ個別メッセージ相当信号と、初期設定ファイル１０９に設定された後述する設定値とに基づいて、後述の３つのチェック処理を行って再多重データを構築するＥＭＭ共通優先制御再多重手段としてのＥＭＭ共通優先制御再多重部である。
【００３８】
図４は図３のシステム全体の機能ブロック図であり、図３と同一部分同一符号をもって示している。
【００３９】
図５は図３、図４のＥＭＭ共通優先制御再多重部１１２の機能ブロック図であり、図３、図４と同一部分は同一符号をもって示している。
【００４０】
図４において、復調部１０２は、入力された放送波信号１０１を復調し、復調化された放送波信号１０３をＥＭＭメッセージ分離部１０４へ渡す。
ＥＭＭメッセージ分離部１０４は、復調部１０２から渡された復調化された放送波信号１０３を受け取り、復調化された放送波信号１０３からＥＭＭ共通メッセージ１０５とＥＭＭ個別メッセージ１０６とＥＭＭメッセージ以外の信号１０７へと分離する。ＥＭＭメッセージ分離部１０４は、ＥＭＭ個別メッセージ１０６を破棄し、ＥＭＭ共通メッセージ１０５とＥＭＭメッセージ以外の信号１０７をＥＭＭ共通メッセージ編集部１０８へ渡す。
【００４１】
ＥＭＭ共通メッセージ編集部１０８は、予め作成された初期設定ファイル１０９からＥＭＭ共通メッセージ編集内容（書き換え対象となる定型文番号と定型文の組み）を読み取り、ＥＭＭメッセージ分離部１０４から渡されたＥＭＭ共通メッセージ１０５に対して、以下のデータ置換処理を行なう。すなわち、初期設定ファイル１０９に指定された定型文番号に該当する定型文が記載されていた場合には、入力された放送波のＥＭＭ共通メッセージ１０５の定型文の内容を、初期設定ファイル１０９に記載された置換後の定型文の内容と置換する。ＥＭＭ共通メッセージ編集部１０８によって一部データが置換された後のＥＭＭ共通メッセージ１０５を、以下、編集後のＥＭＭ共通メッセージ１１０とする。
【００４２】
ＥＭＭ共通メッセージ編集部１０８は、ＥＭＭメッセージ以外の信号１０７でＥＭＭ共通メッセージ１０５、ＥＭＭ個別メッセージ１０６が含まれていた部分をＮＵＬＬ化する。ＥＭＭ共通メッセージ編集部１０８は、編集後のＥＭＭ共通メッセージ１１０とＥＭＭ部分をＮＵＬＬ化したＥＭＭメッセージ以外の信号１１１をＥＭＭ共通優先制御再多重部１１２へ渡す。
【００４３】
なお、初期設定ファイル１０９に指定された定型文番号に該当する定型文が、入力された放送波のＥＭＭ共通メッセージ１０５に記載されていなかった場合には、入力された放送波のＥＭＭ共通メッセージ１０５をそのまま利用し、該ＥＭＭ共通メッセージ１０５とＥＭＭ部分をＮＵＬＬ化したＥＭＭメッセージ以外の信号１１１をＥＭＭ共通優先制御再多重部１１２へ渡す（以降では説明の便宜上、ＥＭＭ共通メッセージ１０５に編集を加えない場合も「編集後のＥＭＭ共通メッセージ１１０」と記載する）。
【００４４】
ＥＭＭ個別メッセージ相当信号生成部１１５は、データベース１１３からＥＭＭ個別メッセージ相当信号の元となるデータ１１４を読み取り、ＥＭＭ個別メッセージ相当信号１１６を生成する。
【００４５】
ここで、ＥＭＭ共通優先制御再多重部１１２は、図５に示すように、前記ＥＭＭ共通メッセージ編集部１０８から渡された、ＥＭＭ部分をＮＵＬＬ化したＥＭＭメッセージ以外の信号１１１を格納するＥＭＭメッセージ以外の信号の受信バッファ１２１と、編集後のＥＭＭ共通メッセージ１１０を格納するＥＭＭ共通メッセージ受信バッファ１２２と、前記ＥＭＭ個別メッセージ相当信号生成部１１５から渡されたＥＭＭ個別メッセージ相当信号１１６を格納するＥＭＭ個別メッセージ受信バッファ１２３と、再多重データを構築するための再多重用バッファ１２４と、前記図４に示すように、データベース１１３にＥＭＭ個別メッセージ相当信号の即時送信要求信号１２６があった場合に、ＥＭＭ個別メッセージ相当信号生成部１１５により生成されたＥＭＭ個別メッセージ相当信号１１６を格納する即時送信用のＥＭＭ個別メッセージ受信バッファ１２７（請求項２，４の場合）とを備えている。
【００４６】
また、ＥＭＭ共通優先制御再多重部１１２は、後述のＥＭＭ共通優先制御再多重機能１２５および再多重データ送出機能１２８を備えている。
【００４７】
図４において、ＥＭＭ個別メッセージ相当信号生成部１１５は、ＥＭＭ個別メッセージ相当信号１１６をＥＭＭ共通優先制御再多重部１１２の図５に示すＥＭＭ個別メッセージ受信バッファ１２３へ渡す。
【００４８】
ＥＭＭ個別メッセージ相当信号生成部１１５は、データベース１１３にＥＭＭ個別メッセージ相当信号の即時送信要求信号１２６があった場合、ＥＭＭ個別メッセージ相当信号１１６を生成し、ＥＭＭ共通優先制御再多重部１１２の図５に示す即時送信用のＥＭＭ個別メッセージ受信バッファ１２７へ渡す。ＥＭＭ個別メッセージ相当信号生成部１１５は、データベース１１３に変更が無い限り、同じＥＭＭ個別メッセージ相当信号１１６をＥＭＭ共通優先制御再多重部１１２へ渡し続ける。
【００４９】
尚、ＥＭＭメッセージ再多重装置１０００のＥＭＭメッセージ分離部１０４、ＥＭＭ共通メッセージ編集部１０８、ＥＭＭ個別メッセージ相当信号生成部１１５およびＥＭＭ共通優先制御再多重部１１２の各機能は、例えばコンピュータによって達成される。
【００５０】
次に、前記ＥＭＭ共通優先制御再多重部１１２の処理フローを、図６のメインフローと図７〜図９のサブルーチンとともに説明する。図６〜図９におけるＳ００１〜Ｓ０４３は各処理のステップを表している。
【００５１】
尚、初期状態として、再多重用バッファ１２４にはＥＭＭ部分をＮＵＬＬ化したＥＭＭメッセージ以外の信号１１１が格納されているものとする。
【００５２】
また、図６の破線で示すＳ００７，Ｓ００８，Ｓ０１２の処理は、請求項２，４を実施するときのみ実行されるステップであり、請求項１，３の実施時には実行されない。
【００５３】
Ｓ００１：ＥＭＭ共通優先制御再多重機能１２５が起動される。Ｓ００２へ進む。
【００５４】
Ｓ００２：  ＥＭＭ共通優先制御再多重機能１２５は、初期設定ファイル１０９から、設定値を読み取る。Ｓ００３へ進む。
【００５５】
Ｓ００３：ＥＭＭメッセージ以外の信号の受信バッファ１２１にデータが存在している場合、Ｓ００４以下をループ開始。Ｓ００４へ進む。
【００５６】
Ｓ００４：再多重用バッファ１２４に配置しかけている、編集後のＥＭＭ共通メッセージ１１０か、ＥＭＭ個別メッセージ相当信号１１６は無いかを確認し、あればＳ００６へ進む。無ければＳ００５へ進む。
【００５７】
Ｓ００５：請求項１のみ実施する場合：ＥＭＭ共通メッセージ受信バッファ１２２にデータがあればＳ０１３へ進む。無ければＳ００９へ進む。請求項１に加え、請求項２も実施する場合：ＥＭＭ共通メッセージ受信バッファ１２２にデータがあればＳ０１３へ進む。無ければＳ００７へ進む。
【００５８】
Ｓ００６：請求項１のみ実施する場合：再多重用バッファ１２４へ配置中のセクションが編集後のＥＭＭ共通メッセージ１１０であれば、Ｓ０１０へ進み、そうでなければＳ０１１へ進む。請求項１に加え、請求項２も実施する場合：再多重用バッファ１２４へ配置中のセクションが編集後のＥＭＭ共通メッセージ１１０であれば、Ｓ０１０へ進み、そうでなければＳ００８へ進む。
【００５９】
Ｓ００７：即時送信用のＥＭＭ個別メッセージ受信バッファ１２７にデータがあればＳ０１２に進み、無ければＳ００９に進む。
【００６０】
Ｓ００８：即時送信用のＥＭＭ個別メッセージ受信バッファ１２７にデータがあればＳ０１２に進み、無ければＳ０１１に進む。
【００６１】
Ｓ００９：ＥＭＭ個別メッセージ受信バッファ１２３にデータがあればＳ０１４に進み、無ければＳ０２１へ進む。
【００６２】
Ｓ０１０：ＥＭＭ共通メッセージ受信バッファ１２２の配置中のセクションの次の１パケットを配置候補として取り出し、Ｓ０１５以降のチェック（本発明の第１のチェック）を行う。Ｓ０１５へ進む。
【００６３】
Ｓ０１１：ＥＭＭ個別メッセージ受信バッファ１２３の配置中のセクションの次の１パケットを配置候補として取り出し、Ｓ０１５以降のチェックを行う。Ｓ０１５へ進む。
【００６４】
Ｓ０１２：請求項１のみ実施する場合：本フローはどの処理ルートにおいても実施されない。請求項１に加え、請求項２も実施する場合：即時送信用のＥＭＭ個別メッセージ受信バッファ１２７のパケットを配置候補として取り出し、Ｓ０１５以降のチェックを行う。Ｓ０１５へ進む。
【００６５】
Ｓ０１３：ＥＭＭ共通メッセージ受信バッファ１２２に一番古く入力されたセクションの先頭１パケットを次の配置候補としてＳ０１５以降のチェックを行う。Ｓ０１５へ進む。
【００６６】
Ｓ０１４：ＥＭＭ個別メッセージ受信バッファ１２３に一番古く入力されたセクションの先頭１パケットを次の配置候補としてＳ０１５以降のチェックを行う。Ｓ０１５へ進む。
【００６７】
Ｓ０１５：候補対象の１パケットに対して、当該パケットを配置することにより、初期設定ファイル１０９に設定された、最大送出量を越えないか、および最大送出帯域を越えて送出することにならないかを判定する第１のチェック、すなわち後述する図７のＳ０２４〜Ｓ０３１の処理を行う。チェックを完了したら、Ｓ０１６へ進む。
【００６８】
Ｓ０１６：候補対象の１パケットが、ＥＭＭ共通メッセージであればＳ０１７へ進む。そうで無ければ、Ｓ０１８へ進む。
【００６９】
Ｓ０１７：候補対象の１パケットに対して、当該パケットを配置することにより、初期設定ファイル１０９に設定された、ＥＭＭ共通メッセージの最大送出頻度を上回って送出することにならないかを判定する第２のチェック、すなわち後述する図８のＳ０３２〜Ｓ０３７の、編集後のＥＭＭ共通メッセージの送出に関するチェックをおこなう。チェックを完了したら、Ｓ０１９へ進む。
【００７０】
Ｓ０１８：候補対象の１パケットに対して、当該パケットを配置することにより、初期設定ファイル１０９に設定された、同一受信装置へのＥＭＭ個別メッセージ送信最小間隔を下回って送出することにならないかを判定する第３のチェック、すなわち後述する図９のＳ０３８〜Ｓ０４３の、ＥＭＭ個別メッセージ相当信号の送出に関するチェックをおこなう。チェックを完了したら、Ｓ０１９へ進む。
【００７１】
Ｓ０１９：チェック結果が全てＯＫであれば、Ｓ０２０へ進む。そうで無ければ、Ｓ０２１へ進む。
【００７２】
Ｓ０２０：再多重用バッファ１２４の次のＮＵＬＬパケットの位置に、候補対象の１パケットを配置し、Ｓ００４へ進む。
【００７３】
Ｓ０２１：再多重用バッファ１２４の次のＮＵＬＬパケットの位置へは、何も配置せず、ＮＵＬＬパケットのままとし、Ｓ０２２へ進む。
【００７４】
Ｓ０２２：ＥＭＭメッセージ以外の信号の受信バッファ１２１にデータがあればＳ００４へ進み、無ければＳ０２３へ進む。
【００７５】
Ｓ０２３：ＥＭＭ共通優先制御再多重機能１２５を終了させる。
【００７６】
以下に、前記Ｓ０１５で実行される、図７のＥＭＭメッセージ全体の送出に関するチェック処理のフローを説明する。
【００７７】
Ｓ０２４：ＥＭＭメッセージ全体の送出に関するチェック処理の起動。Ｓ０２５へ進む。
【００７８】
Ｓ０２５：初期設定ファイル１０９から設定値を読み取る。Ｓ０２６へ進む。
【００７９】
Ｓ０２６：配置候補のパケットを配置した場合、同一ＰＩＤのパケットを連続で初期設定ファイル１０９から読み取った設定値を越えて配置したことにならないかを確認する。越えていなければＳ０２７へ進み、越えていればＳ０３０へ進む。
【００８０】
Ｓ０２７：配置候補のパケットを配置した場合、初期設定ファイル１０９から読み取った最大送出帯域を越えてＥＭＭメッセージを送出することにならないかを確認する。越えていなければＳ０２８へ進み、越えていればＳ０２９へ進む。
【００８１】
Ｓ０２８：メインルーチンに対してチェック結果としてＯＫを返す。Ｓ０３１へ進む。
【００８２】
Ｓ０２９：メインルーチンに対してチェック結果としてＯＫを返さない。Ｓ０３１へ進む。
【００８３】
Ｓ０３０：メインルーチンに対してチェック結果としてＯＫを返さない。Ｓ０３１へ進む。
【００８４】
Ｓ０３１：ＥＭＭメッセージ全体の送出に関するチェック処理を終了する。
【００８５】
以下に、前記Ｓ０１７で実行される、図８の編集後のＥＭＭ共通メッセージ１１０の送出に関するチェック処理のフローを説明する。
【００８６】
Ｓ０３２：編集後のＥＭＭ共通メッセージ１１０の送出に関するチェック処理を開始する。Ｓ０３３へ進む。
【００８７】
Ｓ０３３：初期設定ファイル１０９から設定値を読み取る。Ｓ０３４へ進む。
【００８８】
Ｓ０３４：配置候補のパケットを配置した場合、ＥＭＭ共通メッセージセクションの最大送出頻度が初期設定ファイル１０９から読み取った設定値を上回っていないか確認する。上回っていなければＳ０３５へ進む。上回っていればＳ０３６へ進む。
【００８９】
Ｓ０３５：メインルーチンに対してチェック結果としてＯＫを返す。Ｓ０３７へ進む。
【００９０】
Ｓ０３６：メインルーチンに対してチェック結果としてＯＫを返さない。Ｓ０３７へ進む。
【００９１】
Ｓ０３７：編集後のＥＭＭ共通メッセージ１１０の送出に関するチェック処理を終了する。
【００９２】
以下に、前記Ｓ０１８で実行される、図９のＥＭＭ個別メッセージ相当信号１１６の送出に関するチェック処理のフローを説明する。
【００９３】
Ｓ０３８：ＥＭＭ個別メッセージ相当信号１１６の送出に関するチェック処理を開始する。Ｓ０３９へ進む。
【００９４】
Ｓ０３９：初期設定ファイル１０９から設定値を読み取る。Ｓ０４０へ進む。
【００９５】
Ｓ０４０：配置候補のパケットを配置した場合、ＥＭＭ個別メッセージ相当信号１１６の送出が、初期設定ファイル１０９から読み取った同一の受信装置２００に対する最小間隔の設定値を下回っていないかを確認する。下回っていなければＳ０４１へ進む。下回っていればＳ０４２へ進む。
【００９６】
Ｓ０４１：メインルーチンに対してチェック結果としてＯＫを返す。Ｓ０４３へ進む。
【００９７】
Ｓ０４２：メインルーチンに対してチェック結果としてＯＫを返さない。Ｓ０４３へ進む。
【００９８】
Ｓ０４３：ＥＭＭ個別メッセージ相当信号１１６の送出に関するチェック処理を終了する。
【００９９】
図５の再多重データ送出機能１２８は、再多重用バッファ１２４に記録された多重化された信号１１７を限定受信方式変換部１１８へ渡す。
【０１００】
限定受信方式変換部１１８は、ＥＭＭ共通優先制御再多重部１１２から渡された、多重化された信号１１７を、ＩＰ再送信で利用される限定受信方式で符号化した後に、ＩＰ化送信部１１９へ渡す。
【０１０１】
ＩＰ化送信部１１９は、限定受信方式変換部１１８より渡されたＩＰ化信号１２０をデジタル放送／ＩＰネットワーク３００へ送出する。
【０１０２】
デジタル放送／ＩＰネットワーク３００は、送出装置１００から入力されたＩＰ化信号１２０を、受信装置２００へ出力する。
【０１０３】
受信装置２００は、デジタル放送／ＩＰネットワーク３００から入力されたＩＰ化信号１２０を受信する。受信装置２００は、受信したＩＰ化信号１２０から、編集後のＥＭＭ共通メッセージ１１０とＥＭＭ個別メッセージ相当信号１１６を取り出し、これらを組み合わせて自動表示メッセージで表示させるべき内容を読み取り、画面に表示させる。
【０１０４】
図１０は、前記ＥＭＭ共通優先制御再多重部１１２での処理イメージを表しており、（ａ）は復調化された放送波信号１０３の例を示している。（ｂ）は、再多重用バッファ１２４にまず最初に格納される、ＥＭＭ部分をＮＵＬＬ化した（図示破線部分）ＥＭＭメッセージ以外の信号１１１を示している。（ｃ）は、ＥＭＭ共通メッセージ受信用バッファ１２２に格納される編集後のＥＭＭ共通メッセージ１１０を示している。（ｄ）は、ＥＭＭ個別メッセージ受信用バッファ１２３に格納されるＥＭＭ個別メッセージ相当信号を示している。（ｅ），（ｆ）は、再多重用バッファ１２４の操作イメージを示している。
【０１０５】
図１０において、再多重バッファ１２４には、セクション全体を配置し終わるまで、配置中のメッセージを優先的に配置する。
【０１０６】
ＥＭＭ個別メッセージもＥＭＭ共通メッセージもある場合には、ＥＭＭ共通メッセージから優先的に配置する。
【０１０７】
１パケット候補を取り出すごとに次のパケットを配置することで、全ての送出チェック（図６のＳ０１５，Ｓ０１７，Ｓ０１８）を満たすかどうかを判定する。
【０１０８】
チェック結果がＯＫなら図１０（ｅ），（ｆ）の実線部分のように１パケット配置し、ＯＫでないなら図１０（ｆ）の破線部分のように次のＮＵＬＬパケット１パケット分へは何も配置しない。
【実施例１】
【０１０９】
ＩＰ放送において、自動表示メッセージを運用でき、受信装置が処理できる形で自動表示メッセージの元となる信号を送出することのできる本発明の実施例１のシステムを図１１に示す。
【０１１０】
図１１のシステムは、前記ＥＭＭメッセージ再多重装置１０００の機能を備えた送出装置４０１、ＩＰネットワーク４０２、マルチキャストストリーム４０３、受信装置４０４から構成される。
【０１１１】
送出装置４０１は、放送番組と自動表示メッセージ実施のためのＥＭＭメッセージを含んだマルチキャストストリーム４０３をＩＰネットワーク４０２に送出する機能を有する。ＩＰネットワーク４０２は、送出装置４０１から入力されたマルチキャストストリーム４０３を受信装置４０４へ伝送する機能を有する。受信装置４０４は、ＩＰネットワーク４０２から伝送されたマルチキャストストリーム４０３を受信する機能を有し、マルチキャストストリーム４０３から自動表示メッセージを表示するための信号であるＥＭＭメッセージを抽出する機能を有し、視聴者が契約していない有料番組を選局した場合で、かつ、送出装置４０１で自動表示メッセージを表示させる設定としていた場合は、抽出したＥＭＭメッセージで設定された通りの自動表示メッセージを画面に表示させる機能を有する。  次に、ＩＰ放送での本実施例１におけるシステム動作について記述する。  
（１）送出装置４０１は起動時もしくは一定時間経過毎もしくは利用者に指定された時刻に、ＩＰネットワーク４０２に対して、ＩＰ放送のマルチキャストストリーム４０３を送出する。この際、ＩＰ放送の内容が有料放送であった場合、前記図３〜図６で説明した処理を行い、図１０に示すように、ＩＰ放送のマルチキャストストリーム４０３に自動表示メッセージの元となるＥＭＭメッセージを多重化して送出する。
（２）受信装置４０４は、マルチキャストストリーム４０３を受信し、マルチキャストストリーム４０３からＥＭＭメッセージを抽出し、ＥＭＭメッセージで指定された内容の自動表示メッセージを画面に表示させる。
【実施例２】
【０１１２】
ＩＰ再送信において、自動表示メッセージを運用でき、受信装置が処理できる形で自動表示メッセージの元となる信号を送出することのできる本発明の実施例２のシステムを図１２に示す。
【０１１３】
図１２のシステムは、放送局設備５０１、デジタル放送の放送波５０２、前記ＥＭＭメッセージ再多重装置１０００の機能を備えた送出装置５０３、ＩＰネットワーク５０４、マルチキャストストリーム５０５、受信装置５０６から構成される。
【０１１４】
放送局設備５０１は、デジタル放送の放送波５０２を送出する機能を有する。送出装置５０３は、デジタル放送の放送波５０２を受信する機能を有し、デジタル放送の放送波５０２から抽出したＥＭＭメッセージを一部変更しつつ一部新たに生成して再度多重化してマルチキャストストリーム５０５へ変換する機能を有し、生成したマルチキャストストリーム５０５をＩＰネットワーク５０４に送出する機能を有する。ＩＰネットワーク５０４は、送出装置５０３から入力されたマルチキャストストリーム５０５を受信装置５０６へ伝送する機能を有する。受信装置５０６は、ＩＰネットワーク５０４から伝送されたマルチキャストストリーム５０５を受信する機能を有し、マルチキャストストリーム５０５から自動表示メッセージを表示するための信号であるＥＭＭメッセージを抽出する機能を有し、視聴者が契約していない有料番組を選局した場合で、かつ、送出装置５０３で自動表示メッセージを表示させる設定としていた場合は、抽出したＥＭＭメッセージで設定された通りの自動表示メッセージを画面に表示させる機能を有する。
【０１１５】
以下、ＩＰ再送信での本実施例２におけるシステム動作について記述する。  
（１）放送局設備５０１は、放送番組の情報を載せたデジタル放送の放送波５０２を送出する。放送番組が有料放送である場合には、未契約者に自動表示メッセージを視聴させるための信号であるＥＭＭメッセージをデジタル放送の放送波５０２に多重して送出する。
（２）送出装置５０３は、デジタル放送の放送波５０２を受信する。この際、送出装置５０３は、デジタル放送の放送波５０２が有料放送であった場合、かつ、当該の有料放送に対して自動表示メッセージが運用されていた場合、前記図３〜図６で説明した処理を行い、図１０に示すように、以下の処理を行う。すなわち、デジタル放送の放送波５０２からＥＭＭメッセージを抽出し、抽出したＥＭＭメッセージのうち、ＥＭＭ共通メッセージについては、予め送出装置５０３の初期設定ファイルに設定した通りのデータに書き換え、抽出したＥＭＭメッセージのうち、ＥＭＭ個別メッセージは破棄し、データベースから独自のＥＭＭ個別メッセージ相当信号を生成し、ＥＭＭメッセージ以外の信号と、編集後のＥＭＭ共通メッセージ、生成したＥＭＭ個別メッセージ相当信号を、受信装置５０６が読み取れるよう、最大送出帯域、最大送出頻度、最低送出周期を予め初期設定ファイルに設定した値の通り守りながら、多重化して、マルチキャストストリーム５０５の形で生成する。送出装置５０３は、生成したマルチキャストストリーム５０５を、ＩＰネットワーク５０４へ送出する。
（３）受信装置５０６は、マルチキャストストリーム５０５を受信し、マルチキャストストリーム５０５からＥＭＭメッセージを抽出し、ＥＭＭメッセージで指定された内容の自動表示メッセージを画面に表示させる。
【０１１６】
また、本実施形態のＥＭＭメッセージ再多重装置における各手段の一部もしくは全部の機能をコンピュータのプログラムで構成し、そのプログラムをコンピュータを用いて実行して本発明を実現することができること、本実施形態のＥＭＭメッセージ再多重方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【０１１７】
１００、４０１、５０３…送出装置
１０２…復調部
１０４…ＥＭＭメッセージ分離部
１０８…ＥＭＭ共通メッセージ編集部
１０９…初期設定ファイル
１１２…ＥＭＭ共通優先制御再多重部
１１３…データベース
１１５…ＥＭＭ個別メッセージ相当信号生成部
１２１…ＥＭＭメッセージ以外の信号の受信バッファ
１２２…ＥＭＭ共通メッセージ受信バッファ
１２３…ＥＭＭ個別メッセージ受信バッファ
１２４…再多重用バッファ
１２５…ＥＭＭ共通優先制御再多重機能
１２７…即時送信用のＥＭＭ個別メッセージ受信バッファ
１２８…再多重データ送出機能
２００，４０４，５０６…受信装置
１０００…ＥＭＭメッセージ再多重装置
【図１】
2011041188.tif 000003
【図２】
2011041188.tif 000004
【図３】
2011041188.tif 000005
【図４】
2011041188.tif 000006
【図５】
2011041188.tif 000007
【図６】
2011041188.tif 000008
【図７】
2011041188.tif 000009
【図８】
2011041188.tif 000010
【図９】
2011041188.tif 000011
【図１０】
2011041188.tif 000012
【図１１】
2011041188.tif 000013
【図１２】
2011041188.tif 000014
【図１３】
2011041188.tif 000015